(57)【特許請求の範囲】
【請求項１】
有孔管と、前記有孔管の周囲に配置される粒状濾過材とを備えた集水管ブロックにおいて、
前記有孔管の外周に、内側に前記粒状濾過材を介装した網目材を渦巻状に捲回した集水管ブロックであって、
前記粒状濾過材は、粒径が大きい粗砕石などからなる粗濾過材と、粒径が小さい砂や細砕石などからなる細濾過材とを備え、
前記粗濾過材の層を前記有孔管の外周側に複層配置し、前記粗濾過材の外周側に前記細濾過材の層を複層配置するとともに、前記粒状濾過材は、粒状濾過材同士が相互に水溶性接着剤により接着されるとともに、同水溶性接着剤により前記網目材に接着することを特徴とする集水管ブロック。
【発明の詳細な説明】
【０００１】
【発明の属する技術分野】
この発明は、集水管ブロックに関し、特に、濾過層と一体化された集水管ブロックに関するものである。
【０００２】
【従来の技術】
上水道用の水を河川や湖沼などから取水する場合や、淡水化処理施設に導入する水を海中から取水する際には、水底に貫通孔が設けられた有孔集水管が敷設される。
【０００３】
従来、この種の集水管を水底に敷設する方法としては、図４に示すような方法が採用されていた。同図に示した敷設方法は、水底現地盤１を掘削した後に、その掘削箇所に集水管２を設置して、その上部側からトレミー管３を用いて、砕石や砂などの濾過材４を埋め戻していた。
【０００４】
ところが、このような集水管の敷設方法では、集水管２が濾過材４の投入により移動すること、また、同図に示すように、粒径が異なる複数種の濾過材４を用いる場合には、種類毎にトレミー管３で投入するものの、境界部分で相互に混ざり合って、層毎の管理が難しいと言う問題があった。
【０００５】
このような問題に対しては、例えば、図５に示すような、プレキャスト形式の集水管ブロック５を予め製作し、複数の集水管ブロック５を水底に設置することで、集水管を敷設することが検討されている。
【０００６】
図５に示した集水管ブロック５は、金網などで構成した内，外枠６，７を有し、内枠６内にこれを貫通するようにして集水管２を設置し、内枠６内に砕石などの粗濾過材４ａを充填し、内，外枠６，７間に砂や細砕石などの細濾過材４ｂを充填している。
【０００７】
このような集水管ブロック５を用いると、集水管２の移動などの不都合が解消され、濾過材４の埋め戻しも不要になるが、このような構造の集水管ブロック５を得ようとすると、図６に示す工程により行われる。
【０００８】
すなわち、まず、外枠７の底に細濾過材４ｂを所定厚みになるように敷き詰めて、その上部に内枠６を載せる。この内枠６内には、予め、底部に粗濾過材４ａを所定厚みに敷き詰めて、その上部に有孔管２を載せて、残りの粗濾過材４ｂを充填して、上端を閉塞しておく。
【０００９】
そして、外枠７内にさらに細濾過材4ｂを充填した後に、その上端側を閉塞する。しかしながら、このような集水管ブロック５の製造には、以下に説明する課題があった。
【００１０】
【発明が解決しようとする課題】
すなわち、図６に示した集水管ブロック５の製造では、工程数が多く、製造期間がかかり、製造コストも嵩むという問題があった。
【００１１】
本発明は、このような従来の問題点に鑑みてなされたものであって、その目的とするところは、簡単な工程で製造することができ、製造期間の短縮とコストの削減とを同時に達成することができる集水管ブロックを提供することにある。
【００１２】
【課題を解決するための手段】
上記目的を達成するために、本発明は、有孔管と、前記有孔管の周囲に配置される粒状濾過材とを備えた集水管ブロックにおいて、前記有孔管の外周に、内側に前記粒状濾過材を介装した網目材を渦巻状に捲回した集水管ブロックであって、
前記粒状濾過材は、粒径が大きい粗砕石などからなる粗濾過材と、粒径が小さい砂や細砕石などからなる細濾過材とを備え、前記粗濾過材の層を前記有孔管の外周側に複層配置し、前記粗濾過材の外周側に前記細濾過材の層を複層配置するとともに、前記粒状濾過材は、粒状濾過材同士が相互に水溶性接着剤により接着されるとともに、同水溶性接着剤により前記網目材に接着するようにした。
【００１３】
上記構成の集水管ブロックによれば、有孔管の外周に、内側に粒状濾過材を介装した網目材を、渦巻状に捲回すると所要の集水管ブロックが得られるので、簡単な工程で製造することができ、製造期間の短縮とコストの削減とを同時に達成することができる。また、粒状濾過材は、粒径が大きい粗砕石などからなる粗濾過材と、粒径が小さい砂や細砕石などからなる細濾過材とを備え、粗濾過材の層を有孔管の外周側に複層配置し、粗濾過材の外周側に細濾過材の層を複層配置するので、有孔管の外周に濾過材層の密度勾配を設けることができ、濾過材の機能を長期間有効に発揮させることができる。
【００１７】
【発明の実施の形態】
以下、本発明の好適な実施の形態について、添付図面に基づいて詳細に説明する。図１および図２，３は、本発明にかかる集水管ブロックの第１実施例を示している。
【００１８】
同図に示した集水管ブロック１０は、有孔管１２と、有孔管１２の周囲に配置される粒状濾過材１４と、網目材１６を備えている。有孔管１２は、所定長さの中空円筒状のものであって、多数の貫通孔１８が設けられている。
【００１９】
粒状濾過材１４は、本実施例の場合には、粒径が大きい粗砕石などからなる粗濾過材１４ａと、粒径が小さい砂や細砕石などからなる細濾過材１４ｂとから構成されている。
【００２０】
このような粗および細濾過材１４ａ，１４ｂは、本実施例の場合には、有孔管１２の外周を周回する層状に形成されていて、粗濾過材１４ａの層が、有孔管１２の直近外周側に複層配置され、この粗濾過材１４ａの外周側に細濾過材１４ｂの層が、複層配置されている。
【００２１】
このような濾過材１４ａ，１４ｂの配置構造によれば、有孔管１２の直近に密度の粗い濾過層（粗濾過材１４ａの層）が複層あって、その外周に密度の細かい濾過層（細濾過材１４ｂの層）が複層存在していて、密度勾配が設けられている。
従って、有孔管１２内に水を取り込む際に、異物の捕集が、複数の層で行われるとともに、外側の層に目詰まりが発生しても、内部の層は、まだ濾過機能を有していて、濾過材の機能を長期間有効に発揮させることができるし、異物の捕集を行う細濾過材１４ｂが、有孔管１２の内部に侵入することも防止される。
また、このような密度勾配を設けておくと、集水ブロック１０を水底に設置して、その外周側を砂で埋め戻す際に、埋め戻し用の砂が有孔管１２の内部に侵入することも防止される。
【００２２】
網目材１６は、例えば、細濾過材１４ｂの通過を阻止する目付けの金網や、織布などから構成され、粒状濾過材１４を内側に介装（ないしは保持）した状態で、有孔管１２の外周に渦巻状に捲回される。
【００２３】
この網目材１６の捲回終端は、その内周側の網目に係止したり、あるいは、外周にワイヤーなどを巻き付けることなどにより、止着される。このような構成の集水管ブロック１０は、図２に示すように、網目材１６を展開し、その上面に粒状濾過材１４を所定厚みに撒き出して、網目材１６の始端側を有孔管１２の外周面に係止して、有孔管１２を回転させることで、粒状濾過材１４が内面側に介装（ないしは保持）された状態の網目材１６を、有孔管１２の外周に巻き取り、網目材１６の終端を前述した方法により止着すると得られる。
【００２４】
さて、以上のように構成した集水管ブロック１０によれば、有孔管１２の外周に、内側に粒状濾過材１４を介装（ないしは保持）した網目材１６を渦巻状に捲回すると、所要のものが得られるので、簡単な工程で製造することができ、製造期間の短縮とコストの削減とを同時に達成することができる。
【００３６】
図３は、集水管ブロック１０の詳細説明図であり、同図に示した集水管ブロック１０ｃは、有孔管１２と、有孔管１２の周囲に配置される粒状濾過材１４とを備え、有孔管１２の外周に、内側に粒状濾過材１４を介装した網目材１６が渦巻状に捲回されている。
【００３７】
本実施例の場合には、粒状濾過材１４は、粗濾過材１４ａと細濾過材１４ｂとから構成されていて、各粒状濾過材１４は、水溶性接着剤により、濾過材１４同士が相互に接着されるとともに、網目材１６に接着されている。
【００３８】
水溶性接着剤は、集水管ブロック１０ｃを水に浸漬すると、所定の時間を経過することにより溶解し、濾過材１４間に水の透過が可能な空隙が形成される。
【００３９】
このように構成した実施例によれば、水に浸漬するまでは、粒状濾過材１４が相互に接着し、かつ、網目材１６に接着しているので、層状に粒状濾過材１４を形成する際の、各層の厚みの均一化を容易に確保することができるとともに、網目材１６に介装する際に、濾過材１４が離脱することがなくなり、捲回作業を簡単に行うことができ、より一層製造能率が向上する。
【００４０】
なお、上記実施例では、有孔管１２は、円筒状中空形状のものを例示したが、本発明の実施は、これに限定されることはなく、例えば、四角形などの多角筒状などの形状であってもよい。
【００４１】
【発明の効果】
以上、詳細に説明したように、本発明にかかる集水管ブロックのよれば、簡単な工程で製造することができ、製造期間の短縮とコストの削減とを同時に達成することができる。
【図面の簡単な説明】
【図１】本発明にかかる集水管ブロックの第１実施例を示す断面図である。
【図２】図１に示した集水管ブロックを製造する際の説明図である。
【図３】本発明にかかる集水管ブロックの詳細を示す要部断面説明図である。
【図４】従来の集水管を水底に敷設する方法の説明図である。
【図５】従来の集水管ブロックの断面図である。
【図６】図７に示した集水管ブロックの製造工程の説明図である。
【図１】
0004075411.tif 000002
【図２】
0004075411.tif 000003
【図３】
0004075411.tif 000004
【図４】
0004075411.tif 000005
【図５】
0004075411.tif 000006
【図６】
0004075411.tif 000007